(57)【要約】      （修正有）【課題】通気性を有するとともに防水・抗酸化・抗菌効果の優れた陶器を提供する。【解決手段】果物、野菜、野草などの食材を内側空間に保存するための収容空間３を有する本体２と、その本体２の開口部９を覆う蓋体８とを有する陶器１において、本体２の内側表面４に柿渋を塗布・焼成して形成されたタンニン層５を設けるとともに、外側表面６や蓋体の表裏には釉薬層７を形成する。そして、そのタンニン層５のタンニンによって、防水性を持たせるとともに、抗酸化・抗菌効果を持たせるようにする。【選択図】図１
0003190538.tif 000002
【実用新案登録請求の範囲】
【請求項１】
食材を内部に保存するための収容空間を有する陶器において、
当該内部の収容空間を形成する内側表面にタンニンを含有するタンニン層を設けたことを特徴とする陶器。
【請求項２】
食材を内部に保存するための収容空間を有する本体と、
当該本体の開口部を覆う蓋体と、
を有する陶器において、
前記本体の内側表面にタンニンを含有するタンニン層を設けたことを特徴とする陶器。
【請求項３】
前記タンニン層が柿渋によって構成されるものである請求項１または２に記載の陶器
【考案の詳細な説明】
【技術分野】
【０００１】
本考案は、食材を保存することができる陶器に関するものであり、より詳しくは、適度な通気性を有するとともに防水・抗酸化力・抗菌効果などに優れた陶器に関するものである。
【背景技術】
【０００２】
従来より、食材を保存するための容器として、陶器や磁器（特許文献１）、ガラス、ホーローなどがある。このうち、陶器を除く他の磁器やガラス、ホーローなどの容器は、防水効果に優れているため、容器からの水漏れを完全に防止することができるというメリットがある。
【０００３】
しかしながら、このような容器は密閉性が高いため、酵母を作り出す食材を保存する場合、その土地の気候風土に合わせた食材を作り出すことができない。特に、通気性がない状態では、容器内で悪玉菌を発生させてしまい、また、酵母によってアルコール成分が作り出されてしまうといったデメリットがある。さらに、このような容器は、熱伝導性が高いため、外部環境に依存して急激な温度変化を生じてしまい、酵母の働きを阻害させてしまうばかりでなく、光透性があると、紫外線によって酵母の働きを阻害させてしまうことになる。
【０００４】
一方、これに比べて、陶器は、ガラス成分が少なく、ある程度の通気性を有するため、食材の水分を吸収して陶器の外へ送り出しながら気化熱を奪い、常に食材を一定の温度に保って貯蔵させることができるというメリットがある。
【先行技術文献】
【特許文献】
【０００５】
【特許文献１】実用新案登録第３１６２４２１号公報
【考案の概要】
【考案が解決しようとする課題】
【０００６】
しかしながら、このような陶器においても、次のような問題がある。
【０００７】
すなわち、陶器にはある程度の通気性があるものの防水効果が比較的薄いため、食材の多くの水分が奪われてしまう。このため、陶器の壁面には防水効果を高めるための釉薬を塗布するようにしているが、この釉薬自体には抗酸化力、抗菌効果がなく、食材に悪玉菌を発生させてしまう可能性がある。
【０００８】
そこで、本考案は、上記課題に着目してなされたものであり、通気性を有するとともに防水・抗酸化・抗菌効果の優れた陶器を提供することを目的とする。
【課題を解決するための手段】
【０００９】
すなわち、本考案は上記課題を解決するために、食材を内部に保存するための収容空間を有する陶器において、当該内部の収容空間を形成するための内側表面にタンニンを含有するタンニン層を設けるようにしたものである。
【００１０】
このようにすれば、タンニン層に含まれるタンニンによって防水効果を持たせることができるとともに、そのタンニンによる抗酸化力、抗菌効果などによって食材に悪玉菌を発生させることを防止させることができる。
【００１１】
また、このような発明において、食材を内部に保存するための収容空間を有する本体と、当該本体の開口部を覆う蓋体とを有する陶器において、前記本体の内側表面にのみタンニンを含有するタンニン層を設けるようにする。
【００１２】
このように構成すれば、本体の内側にのみタンニン層を設けるようにしているので、製造コストを安く抑えることができるようになる。
【００１３】
より具体的には、前記タンニン層を形成する場合、柿渋を塗布することによってタンニン層を形成する。
【００１４】
このように構成すれば、自然界に存在する柿渋によってタンニン層を形成するので、化学薬品などを用いることなく、より自然に優しい陶器にすることができる。
【考案の効果】
【００１５】
本考案によれば、食材を内部に保存する収容空間を有する陶器において、当該内部の収容空間を形成するための内側表面にタンニンを含有するタンニン層を設けるようにしたので、タンニン層に含まれるタンニンによって防水効果を持たせることができるとともに、そのタンニンによる抗酸化力、抗菌効果などによって食材に悪玉菌を発生させることを防止させることができる。
【図面の簡単な説明】
【００１６】
【図１】本考案の一実施の形態を示す陶器の外観図
【図２】同形態における陶器本体の断面図
【考案を実施するための最良の形態】
【００１７】
以下、本考案の一実施の形態を示す陶器１について図面を参照して説明する。
【００１８】
この実施の形態における陶器１は、図１に示すように、食材を保存するための収容空間３を有する本体２と、この本体２の開口部９を覆う蓋体８とを有してなるものであって、特徴的に、図２に示すように、その本体２の収容空間３を形成するための内側表面４にタンニン層５を形成するようにしたものである。以下、本考案の陶器１の構造について詳細に説明する。
【００１９】
まず、本体２や蓋体８は、原料である粘土などを練り上げて焼成させることによって形成される。このような原料としては、カオリンや蛙目粘土などの粘土類、また、これに陶石を加えた粘性原料や、さらに、これに脱粘性原料として珪石・珪粉・石英や、溶融性原料として長石や、アルミナなどを加えたものなどが用いることができる。これらの成分割合としては、粘土として５０重量％以上、珪石として４０重量％、長石として１０重量％程度含ませるようにする。そして、このような原料に水を加えて練り上げるとともに、ロクロを用いて内側に収容空間３を形成し、半乾きの状態でへらを用いて全体形状を整えていく。そして、絵付けや釉薬を塗布できる強度を持たせるために、７００℃〜９００℃の範囲で素焼きを行う。
【００２０】
図２に示すように、釉薬層７は、この素焼きされた本体２の外側表面６、および、蓋体８の表裏に設けられる。この釉薬層７は、素焼きを行った後に釉薬をかけることによって形成されるものであって、ある程度の通気性を確保するとともに防水効果を高めるようにしたものである。この釉薬としては、化学成分としてＳｉＯ２、Ａｌ２Ｏ３、ＣａＯ、ＭｇＯ、Ｋ２Ｏ、Ｎａ２Ｏ、Ｆｅ２Ｏ３、Ｌｉ２Ｏ、ＩｇＬｏｓｓを含むものなどが用いられ、一般的には、長石、粘土、珪石を主成分とし、溶融温度を調整する成分として、ソーダ、カリウム、石灰、また、色付けする成分として、鉄、銅、マンガン、コバルトなどを用いる。そして、このような成分を水で溶かした釉薬を適度な濃度となるようにし、これを本体２の外側表面６や蓋体８に塗布していく。このような釉薬を塗布する場合、浸し掛けや流し掛け、吹き掛け、塗り掛けなどの手法を用いて塗布していく。
【００２１】
一方、この本体２の内側表面４にはタンニン層５が形成される。このタンニン層５は、この実施の形態では、液体状の柿渋を塗布することによって形成されるものであって、これによって防水効果を高めるとともに、抗酸化、抗菌、防腐効果などを高められるようにしたものである。この柿渋は、未熟な柿（青柿）の果実を粉砕、圧搾して得られた汁液を発酵・熟成させて得られるものであって、ポリフェノールの一種であるタンニンを主成分とし、これ以外に、酪酸、プロピオン酸、酢酸などを含むようにしたものである。なお、この酪酸や酢酸などは臭気を有するものであるため、適宜これらの成分を除去したものを用いることもできる。そして、このような柿渋を刷毛などを用いて本体２の内側表面４に塗布する。このとき、柿渋を本体２の外側や蓋体８などにも塗布してもよいが、柿渋自体は非常に高価なものである一方、本体２の外側表面６や蓋体８に抗菌効果を持たせる必要がないため、可能な限り低コストに仕上げられるように本体２の内側表面にのみ柿渋を塗布する。そして、このように外側表面６や蓋体８に釉薬を塗布するとともに、内側表面に柿渋を塗布し、数日乾燥させた後、本焼きを行う。この本焼きにおいては、ゆっくりと窯の温度を１３００℃前後まで上げて、数時間もしくは数日かけて加熱する。そして、その後、ゆっくりと窯の温度を下げて冷却させ、これによって、塗布した釉薬や柿渋によって図２に示すような釉薬層７やタンニン層５を形成する。
【００２２】
次に、このように構成された陶器１における作用について説明する。
【００２３】
まず、この陶器１を用いて食材を発酵させる場合、蓋体８を開けて食材を投入する。このような食材としては、例えば、果物、野菜、野草などを挙げることができる。そして、これらの食材を投入した後、必要に応じて塩や酵素などを入れ、また、錘や内蓋などを入れて蓋体８で開口部９を塞ぐ。
【００２４】
そして、数日もしくは数週間（場合によっては数年）その陶器１を放置させる。すると、その本体２の酵素の働きによって食材を発酵させることができるとともに、柿渋によるタンニンの成分によって悪玉菌の発生を防止させることができる。このとき、食材から染み出た液体については、タンニン層５や釉薬層７である程度遮断されるが、一部についてはこれらの層から外部に染み出る。このとき、その染み出た液体の気化熱によって内部の温度上昇を抑えることができ、内部の温度を一定に保つことができる。また、これとともに、陶器本来の低熱伝導性や遮光性、通気性により外部の温度変化の影響を受けることなく、内部の温度を一定に保って、酵素の働きを活性化させることができる。
【００２５】
このように上記実施の形態によれば、食材を内部に保存する収容空間３を有する陶器１において、当該内部の収容空間３を形成する内側表面４にタンニンを含有するタンニン層５を設けるようにしたので、タンニンによって防水効果を持たせることができるとともに、そのタンニンによる抗酸化力、抗菌効果などによって食材に悪玉菌を発生させることを防止させることができる。
【００２６】
また、食材を内部に保存するための収容空間３を有する本体２と、当該本体２の開口部９を覆う蓋体８とを有する陶器１において、本体２の内側表面４にのみタンニン層５を設けるようにしているので、製造コストを安く抑えることができるようになる。
【００２７】
さらに、タンニン層５を形成する場合、柿渋を塗布することによってタンニン層５を形成するようにしたので、自然界に存在する柿渋を用いることで、より自然に優しい陶器１にすることができる。
【００２８】
なお、本考案は上記実施の形態に限定されることなく、種々の態様で実施することができる。
【００２９】
例えば、上記実施の形態では、タンニン層５を形成するための成分として、青柿の果実を粉砕、圧搾して柿渋を抽出するようにしたが、茶やワイン、ガラナ、ヌルデ、なめしなどからタンニンを抽出するようにしてもよい。
【００３０】
また、上記実施の形態では、蓋体８を有する陶器１について説明したが、蓋体８を有さない食材収容用の容器についても適用することができる。
【００３１】
さらに、上記実施の形態では、本体２の内側表面４にのみタンニン層５を形成するようにしたが、タンニンのコストを安く抑えることができる場合は、外側表面６あるいは蓋体８に柿渋を塗布するようにしてもよい。
【符号の説明】
【００３２】
１・・・陶器
２・・・本体
３・・・収容空間
４・・・内側表面
５・・・タンニン層
６・・・外側表面
７・・・釉薬層
８・・・蓋体
９・・・開口部
【図１】
0003190538.tif 000003
【図２】
0003190538.tif 000004